(57)【要約】【課題】撮影時の露出制御条件に関わりなく、正確な露出調整を行うことを可能とする。【解決手段】  閃光装置を有するカメラ装置において、撮影時にプログラム線図に基づき特定したＥＶ値に対応するシャッター速度がストロボ発光シンクロスピード以下であったときには、シャッター速度をストロボ発光シンクロスピードに固定する一方、ストロボの発光量をプログラム線図に示される光量に設定する。これにより、シャッター速度の固定により撮影時の手ぶれを防止しつつ、それに伴い生ずる露出不足分をストロボ光の発光量により補償する。シャッター速度による調整が規制される露出制御時においても滑らかな露出調整を行うことができる。同時に１／３ＥＶや１／２ＥＶという半端なＥＶ値のシフト操作が行われていた場合であっても、その露出補正に正確に対処することができる。【選択図】      図３
2006072047.tif 000002
【特許請求の範囲】
【請求項１】
撮影時の補助光を発光する閃光装置を備えたカメラ装置において、
被写体の明るさに応じた適正な露出量を決定する決定手段と、
予め用意されている所定のプログラム線図に基づきシャッター速度を調整し前記決定手段により決定された適正な露出量を確保するとともに、前記プログラム線図に基づくシャッター速度が所定の規制速度よりも遅くなる場合にシャッター速度を前記規制速度に固定するシャッター速度調整手段と、
このシャッター速度調整手段によりシャッター速度が規制速度に固定された撮影時に、前記閃光装置に補助光を発光させるとともに、その発光量を、シャッター速度の固定に伴い生ずる前記決定手段により決定された適正な露出量に対する露出不足分に応じて制御する発光制御手段と
を備えたことを特徴とするカメラ装置。
【請求項２】
前記閃光装置における補助光の発光を無効とする第１の動作モード、及び前記閃光装置における補助光の発光を有効とする第２の動作モードとを任意に切り換えて設定する設定手段を備え、
前記シャッター速度調整手段は、前記設定手段により第２の動作モードが設定され、かつ前記プログラム線図に基づくシャッター速度が所定の規制速度よりも遅くなる場合にシャッター速度を規制速度に固定する
ことを特徴とする請求項１記載のカメラ装置。
【請求項３】
前記シャッター速度調整手段により固定される規制速度は、撮影時の手ぶれ防止用に設定されているシャッター速度であることを特徴とする請求項１又は２記載のカメラ装置。
【請求項４】
前記決定手段により決定された適正な露出量を補正する補正手段を備え、
前記発光制御手段は、前記閃光装置に補助光を発光させる発光量を、前記補正手段による適正な露出量の補正に伴う露出不足分に応じて制御することを特徴とする請求項１，２又は３記載のカメラ装置。
【請求項５】
前記補正手段は、前記決定手段により決定された適正な露出量を使用者の操作に応じて補正することを特徴とする請求項４記載のカメラ装置。
【請求項６】
前記シャッター速度調整手段によりシャッター速度が規制速度に固定された撮影時における撮影感度を、前記シャッター速度の固定に伴い生ずる前記決定手段により決定された適正な露出量に対する露出不足分に応じて制御する感度制御手段を備えたことを特徴とする請求項１〜５のいずれか１項に記載のカメラ装置。
【請求項７】
撮影時の補助光を発光する閃光装置を有するカメラ装置における露出制御方法において、
被写体の明るさに応じた適正な露出量を決定する工程と、
予め用意されている所定のプログラム線図に基づきシャッター速度を調整し前記適正な露出量を確保するとともに、前記プログラム線図に基づくシャッター速度が所定の規制速度よりも遅くなる場合にシャッター速度を規制速度に固定する工程と、
シャッター速度が規制速度に固定された撮影時に、前記閃光装置に補助光を発光させるとともに、その発光量を、シャッター速度の固定に伴い生ずる前記適正な露出量に対する露出不足分に応じて制御する工程と
を含むことを特徴とする露出制御方法。
【請求項８】
撮影時の補助光を発光する閃光装置を備えたカメラ装置が有するコンピュータを、
被写体の明るさに応じた適正な露出量を決定する決定手段と、
予め用意されている所定のプログラム線図に基づきシャッター速度を調整し前記決定手段により決定された適正な露出量を確保するとともに、前記プログラム線図に基づくシャッター速度が所定の規制速度よりも遅くなる場合にシャッター速度を前記規制速度に固定するシャッター速度調整手段と、
このシャッター速度調整手段によりシャッター速度が規制速度に固定された撮影時に、前記閃光装置に補助光を発光させるとともに、その発光量を、シャッター速度の固定に伴い生ずる前記決定手段により決定された適正な露出量に対する露出不足分に応じて制御する発光制御手段と
して機能させるためのプログラム。
【発明の詳細な説明】
【技術分野】
【０００１】
本発明は、カメラ装置及び露出制御方法に関するものである。
【背景技術】
【０００２】
従来、デジタルカメラ等のカメラ装置においては、被写体の明るさに応じた適切なＥＶ値（露出指数）を決定し、そのＥＶ値を得るためのシャッター速度（露光時間）と絞り値とを自動的に設定する自動露出（ＡＥ）機能を備えたものが一般的である。同じＥＶ値が得られるシャッター速度と絞り値との組み合わせは複数存在するが、通常は、あるＥＶ値を得るための組み合わせを示すプログラム線図（露出線図）を撮影モード毎に用意しておき、撮影モードに応じたプログラム線図を用いることにより、例えばスポーツモードではシャッター速度をより速くするといったように、その時々の撮影モードにおける適切な組み合わせを自動的に決定している。
【０００３】
また、近年のカメラ装置においてはストロボ装置（閃光装置）を内蔵したものが一般的であり、前述した自動露出調整においては、シャッター速度と絞り値との組み合わせによってもＥＶ値を満足できない、つまり必要な露出が確保できない場合には、自動的にストロボ光（補助光）を発光させる制御を行っており、その場合には、例えば下記の特許文献１にも記載されているように、シャッター速度を規定の最低速度（例えば１／６０秒）に固定することにより、撮影時の手ぶれを防止することが行われている。
【特許文献１】特開２００２−２３２７７２号公報
【発明の開示】
【発明が解決しようとする課題】
【０００４】
しかしながら、上記のようにストロボ撮影時に手ぶれを防止するためシャッター速度を規定の最低速度に固定する場合には、滑らかな露出調整を行うことができないという問題があった。これは、シャッター速度を固定するとＥＶ値の調整を絞り値によって行うこととなるが、シャッター速度に比べ絞り値による調整の自由度は狭いためである。また、係る問題は、通常の撮影時に限らず、ユーザーが必要に応じて被写体の明るさに応じた最適露出状態を一定量明るくしたり、暗くしたりする補正を可能とする露出補正（ＥＶシフト）機能を有するものにおいて、ＥＶ値がプラス側（明るくする側）に補正されることによって必要な露出が確保できなくなり、ストロボ光の発光が必要となる場合においても生じていた。
【０００５】
本発明は、かかる従来の課題に鑑みてなされたものであり、撮影時の露出制御条件に関わりなく正確な露出調整を行うことを可能となるカメラ装置、及び露出制御方法を提供することを目的とする。
【課題を解決するための手段】
【０００６】
前記課題を解決するため請求項１の発明にあっては、撮影時の補助光を発光する閃光装置を備えたカメラ装置において、被写体の明るさに応じた適正な露出量を決定する決定手段と、予め用意されている所定のプログラム線図に基づきシャッター速度を調整し前記決定手段により決定された適正な露出量を確保するとともに、前記プログラム線図に基づくシャッター速度が所定の規制速度よりも遅くなる場合にシャッター速度を前記規制速度に固定するシャッター速度調整手段と、このシャッター速度調整手段によりシャッター速度が規制速度に固定された撮影時に、前記閃光装置に補助光を発光させるとともに、その発光量を、シャッター速度の固定に伴い生ずる前記決定手段により決定された適正な露出量に対する露出不足分に応じて制御する発光制御手段とを備えたものとした。
【０００７】
かかる構成においては、シャッター速度が所定の規制速度よりも遅くなる場合には、シャッター速度を規制速度に固定されるとともに、それに伴い生ずる適正な露出量に対する露出不足分が補助光の発光量によって補償される。したがって、シャッター速度による調整が規制される露出制御時においても滑らかな露出調整を行うことができる。
【０００８】
また、請求項２の発明にあっては、前記閃光装置における補助光の発光を無効とする第１の動作モード、及び前記閃光装置における補助光の発光を有効とする第２の動作モードとを任意に切り換えて設定する設定手段を備え、前記シャッター速度調整手段は、前記設定手段により第２の動作モードが設定され、かつ前記プログラム線図に基づくシャッター速度が所定の規制速度よりも遅くなる場合にシャッター速度を規制速度に固定するものとした。
【０００９】
かかる構成においては、撮影時における補助光の発光が有効な場合において、シャッター速度による調整が規制される露出制御時においても滑らかな露出調整を行うことができる。
【００１０】
また、請求項３の発明にあっては、前記シャッター速度調整手段により固定される規制速度は、撮影時の手ぶれ防止用に設定されているシャッター速度であるものとした。
【００１１】
かかる構成においては、撮影時には手ぶれを防止しつつ、滑らかな露出調整を行うことができる。
【００１２】
また、請求項４の発明にあっては、前記決定手段により決定された適正な露出量を補正する補正手段を備え、前記発光制御手段は、前記閃光装置に補助光を発光させる発光量を、前記補正手段による適正な露出量の補正に伴う露出不足分に応じて制御するものとした。
【００１３】
かかる構成においては、適正な露出量が補正されることに伴いシャッター速度による調整が規制される露出制御時においても滑らかな露出調整を行うことができる。
【００１４】
また、請求項５の発明にあっては、前記補正手段は、前記決定手段により決定された適正な露出量を使用者の操作に応じて補正するものとした。
【００１５】
かかる構成においては、使用者により適正な露出量が補正されることに伴いシャッター速度による調整が規制される露出制御時においても滑らかな露出調整を行うことができる。
【００１６】
また、請求項６の発明にあっては、前記シャッター速度調整手段によりシャッター速度が規制速度に固定された撮影時における撮影感度を、前記シャッター速度の固定に伴い生ずる前記決定手段により決定された適正な露出量に対する露出不足分に応じて制御する感度制御手段を備えたものとした。
【００１７】
かかる構成においては、シャッター速度が規制速度に固定されることに伴い生ずる適正な露出量に対する露出不足分が撮影感度を増加させることによって補償される。したがって、撮影時における補助光の発光が禁止されている、又は不要である状況下においても、シャッター速度による調整が規制される露出制御時に滑らかな露出調整を行うことができる。
【００１８】
また、請求項７の発明にあっては、撮影時の補助光を発光する閃光装置を有するカメラ装置における露出制御方法において、被写体の明るさに応じた適正な露出量を決定する工程と、予め用意されている所定のプログラム線図に基づきシャッター速度を調整し前記適正な露出量を確保するとともに、前記プログラム線図に基づくシャッター速度が所定の規制速度よりも遅くなる場合にシャッター速度を規制速度に固定する工程と、シャッター速度が規制速度に固定された撮影時に、前記閃光装置に補助光を発光させるとともに、その発光量を、シャッター速度の固定に伴い生ずる前記適正な露出量に対する露出不足分に応じて制御する工程とを含む方法とした。
【００１９】
かかる方法によれば、シャッター速度が所定の規制速度よりも遅くなる場合には、シャッター速度を規制速度に固定されるとともに、それに伴い生ずる適正な露出量に対する露出不足分が補助光の発光量によって補償される。したがって、シャッター速度による調整が規制される露出制御時においても滑らかな露出調整を行うことができる。
【００２０】
また、請求項８の発明にあっては、撮影時の補助光を発光する閃光装置を備えたカメラ装置が有するコンピュータを、被写体の明るさに応じた適正な露出量を決定する決定手段と、予め用意されている所定のプログラム線図に基づきシャッター速度を調整し前記決定手段により決定された適正な露出量を確保するとともに、前記プログラム線図に基づくシャッター速度が所定の規制速度よりも遅くなる場合にシャッター速度を前記規制速度に固定するシャッター速度調整手段と、このシャッター速度調整手段によりシャッター速度が規制速度に固定された撮影時に、前記閃光装置に補助光を発光させるとともに、その発光量を、シャッター速度の固定に伴い生ずる前記決定手段により決定された適正な露出量に対する露出不足分に応じて制御する発光制御手段として機能させるためのプログラムとした。
【発明の効果】
【００２１】
以上のように請求項１、７の発明においては、シャッター速度による調整が規制される露出制御時においても滑らかな露出調整を行うことができるようにした。よって、撮影時の露出制御条件に関わりなく正確な露出調整を行うことが可能となる。
【００２２】
さらに、請求項２の発明においては、撮影時における補助光の発光が有効な場合において、シャッター速度による調整が規制される露出制御時においても滑らかな露出調整を行うことができるようにした。よって、手動又は自動で補助光の発光が無効に設定されている場合には、その設定を優先させることができる。
【００２３】
また、請求項３の発明においては、撮影時の手ぶれを防止しつつ、滑らかな露出調整を行うことができるようにした。よって、撮影時に補助光の発光が不可欠である場合であっても正確な露出調整を行うことが可能となる。
【００２４】
また、請求項４の発明においては、適正な露出量が補正されることに伴いシャッター速度による調整が規制される露出制御時においても滑らかな露出調整を行うことができるようにした。よって、手動又は自動で露出補正が行われた場合であっても正確な露出調整を行うことが可能となる。つまり露出補正を正確に反映した露出調整が可能となる。
【００２５】
また、請求項５の発明においては、使用者により適正な露出量が補正されることに伴いシャッター速度による調整が規制される露出制御時においても滑らかな露出調整を行うことができるようにした。よって、使用者によって指示された露出補正を正確に反映した露出調整が可能となる。
【００２６】
また、請求項６の発明においては、撮影時における補助光の発光が禁止されている、又は不要である状況下においても、シャッター速度による調整が規制される露出制御時に滑らかな露出調整を行うことができるようにした。よって、手動又は自動で補助光の発光が無効に設定されている場合には、その設定を有効としたままで、撮影時の露出制御条件に関わりなく正確な露出調整を行うことが可能となる。
【発明を実施するための最良の形態】
【００２７】
以下、本発明の一実施の形態を図にしたがって説明する。図１は、本発明に係るストロボ内蔵型のデジタルカメラ１における電気的構成を示すブロック図である。このデジタルカメラ１は、ＡＥ（自動露出）、ＡＦ（オートフォーカス）機能、露出補正（ＥＶシフト）機能を備えたものであって、固定レンズ２、フォーカスレンズ３、絞り４を介して結像された被写体像を撮像する撮像手段であるＣＣＤ５と、ＣＣＤ５を駆動するためのＴＧ（Timing Generator）６及びＶドライバー（垂直方向ドライバー）７と、アナログ信号処理部８を有している。
【００２８】
アナログ信号処理部８は、ＣＣＤ５から出力された撮像信号を保持するＣＤＳ（Correlated Double Sampling：相関二重サンプリング回路）と、ＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤ５の出力信号は、ここで黒レベルを合わせてサンプリングされデジタル信号としてＣＰＵ９に送られる。なお、ＣＣＤ５は、ＣＰＵ９から送られるシャッターパルスに応じ、ＴＧ６とＶドライバー７とによって電荷蓄積時間を変化されることにより電子シャッターとして機能する。
【００２９】
また、前記フォーカスレンズ３は、ＡＦモータ等からなる駆動機構１０によって光軸方向に移動可能に保持されており、装置全体を制御するＣＰＵ９によるフォーカス制御に際しては、ＡＦドライバー１１から送られる駆動信号により合焦位置へ移動される。なお、上記フォーカス制御は、ＣＣＤ５から出力された撮像信号に含まれる高周波数成分の量を、例えば１フィールド期間積分し、その値をＡＦ評価値として、それが最も大きくなる位置にフォーカスレンズ３を移動させるコントラスト検出ＡＦ方式である。また、前記絞り４は、その開度が複数段階（絞り値でＦ１．４〜Ｆ１１）に調整可能であり、ＣＰＵ９による自動露出制御時には絞り駆動部１２によって所定の開度に調整される。
【００３０】
ＣＰＵ９は各種の信号処理、及び画像処理機能を備えたものであり、アナログ信号処理部８を経てデジタル信号に変換された撮像信号からビデオ信号を生成し、ＣＣＤ５によって撮像した被写体像をスルー画像としてＴＦＴ液晶モニター１３に表示させる。また、撮影時には、撮像信号を圧縮して所定のフォーマットの画像ファイルを生成し、それをフラッシュメモリ１４に記憶させる一方、再生時には圧縮した画像ファイルを伸張してＴＦＴ液晶モニター１３に表示させる。
【００３１】
また、ＣＰＵ９には電池等の電源を含む電源回路１５、シャッターキーや、ユーザーによる撮影モードの選択操作、及び予め用意されている機能の使用の可否の設定（例えばストロボの発光禁止、強制発光）等に使用される各種のスイッチを含む操作キー部１６、作業用のメモリであるＤＲＡＭ１７、ＣＰＵ９による各部の制御及びデータ処理に必要な各種の動作プログラムが記録されたプログラムＲＯＭであるＭＲＯＭ１８、ストロボ回路１９が接続されている。ＭＲＯＭ１８には、ＣＰＵ９を本発明の決定手段、シャッター速度調整手段、発光制御手段、設定手段、補正手段、感度制御手段として機能させるためのプログラムや、自動露出制御で使用される複数種のプログラム線図等の各種データが記憶されている。
【００３２】
ストロボ回路１９は本発明の閃光装置であり、図示しないがストロボ発光用コンデンサ（メインコンデンサ）と、電源回路１５の電池の電圧を昇圧してメインコンデンサを充電する充電回路と、トリガ信号に応じて上記ストロボ発光用コンデンサに充電された電荷によって発光される発光管（例えばキセノン管）とからなる一般的な回路構成で得るとともに、ＣＰＵ９の制御に基づき必要に応じてストロボ光（補助光）を発光し、その際の発光量をＣＰＵ９により制御される。
【００３３】
次に、以上の構成からなるデジタルカメラ１の本発明に係る動作を説明する。図２は、静止画撮影用の記録モードが設定されているとき、ＣＰＵ９が実行する撮影処理の手順を示したフローチャートである。
【００３４】
ＣＰＵ９は、記録モードの設定に伴い所定のフレームレートによるＣＣＤ５からの被写体画像の取り込み、及びＴＦＴ液晶モニター１３のスルー表示を開始するとともに、取り込んだ画像の画素毎の輝度値に基づき被写体の明るさを測定し、その明るさに応じたＥＶ値を取得する（ステップＳ１）。引き続き、ユーザーによるＥＶ値の補正操作、すなわちＥＶシフトが行われていた場合には（ステップＳ２でＹＥＳ）、取得したＥＶ値をユーザーの指示に応じて補正つまりシフトした後（ステップＳ３）、ステップＳ４へ進む。また、ＥＶ値の補正操作が行われていなかった場合には（ステップＳ２でＮＯ）、そのままステップＳ４へ進む。続くステップＳ４では、前記ＭＲＯＭ１８に記憶されている通常のプログラム線図に従い、ステップＳ２で取得したＥＶ値、又はステップＳ３で補正した後のＥＶ値に対応するシャッター速度と絞り値とを特定する。
【００３５】
引き続き、基本ＡＥモードが設定されているか否かを判別する（ステップＳ５）。基本ＡＥモードは、シャッター速度と絞り値のみによる露出制御を行う動作モードであって、ユーザーにより手動で設定されたり、長時間露出が許容されている撮影モード（例えば夜景の撮影を前提とした撮影モード）が選択されることにより自動的に設定されるモードである。そして、基本ＡＥモードが、設定されていなければ（ステップＳ５でＮＯ）、さらにシャッター速度が所定値以下であるか否かを判別する（ステップＳ６）。所定値は、それ以下の速度では手ぶれが生じると判断される予め決められた速度であって、例えば１／６０秒である。
【００３６】
そして、基本ＡＥモードが設定されていた場合（ステップＳ５でＹＥＳ）、およびシャッター速度が所定値以下でなかった場合には（ステップＳＡ６でＮＯ）、そのままステップＳ１５へ進みシャッターキーが押下されたか否かを判別する。そして、シャッターキーが押下されたら（ステップＳ１５でＹＥＳ）、ストロボを発光させることなく、前述したステップＳ４で特定したシャッター速度と絞り値を用いた露出調整を伴う撮影処理を実施する（ステップＳ１６）。また、シャッターキーが押下されていなければ（ステップＳ１５でＮＯ）、そのままステップＳ１へ戻り再びＥＶ値を取得する。
【００３７】
一方、前述したステップＳ６の判別結果がＹＥＳであって、ステップＳ４で特定したシャッター速度が前述した所定値以下であったとき、つまり予め決められている規制速度よりも遅いときには、撮影時のシャッター速度をその所定値に固定する設定を行う（ステップＳ７）。本実施の形態において上記所定値は１／６０秒であり、手ぶれ防止を目的として設定されているストロボ発光シンクロスピードである。
【００３８】
そして、その時点でストロボの使用が許容されているか否かを判別し、許容されている場合、つまり本発明の第１の動作モードが設定されている場合であって、例えばユーザーによりストロボの強制発光が設定されていたり、撮影モードとしてストロボの発光を許容、又は強制するモードが設定されていた場合には（ステップＳ８でＹＥＳ）、シャッター速度をストロボ発光シンクロスピードに固定することに伴う明るさの不足分に対応するストロボの発光量を、前記ＭＲＯＭ１８に記憶されている、図３に示した光量調整用の第１のプログラム線図１０１を使用して特定する（ステップＳ９）。すなわち同図に破線で示した部分が発光量であり、ストロボ発光シンクロスピードとの組み合わせによって、ステップＳ１で取得されたＥＶ値、又はステップＳ３で補正した補正後のＥＶ値を満足する発光量、つまりストロボ光に要求される光量を示すガイドナンバー（ＧＮ）を特定する。引き続き、特定したストロボ発光量（ＧＮ）に対応じて、前記ストロボ回路１９のストロボ発光用コンデンサの充電を行う（ステップＳ１０）。つまり発光量の事前調整を行う。
【００３９】
しかる後、シャッターキーが押下されたか否かを判別し、シャッターキーが押下されたら（ステップＳ１１でＹＥＳ）、ストロボ回路１９を駆動してストロボを発光させ、ステップＳ４で特定した絞り値と、ストロボ発光シンクロスピードであるシャッター速度を用い、かつそれらの組み合わせによる露出不足分をストロボ光の発光量により補う露出調整を伴う撮影処理を実施する（ステップＳ１２）。なお、係る際において、前述したステップＳ３でＥＶ値が補正されていないときの絞り値は開放Ｆ値（Ｆ１．４）である。また、シャッターキーが押下されていなければ（ステップＳ１１でＮＯ）、そのままステップＳ１へ戻り再びＥＶ値を取得する。
【００４０】
一方、前述したステップＳ８の判別結果がＮＯであって、ストロボの使用が許容されていない場合、つまり本発明の第２の動作モードが設定されている場合であって、例えばユーザーによりストロボの発光禁止（ストロボＯＦＦ）が設定されていたり、撮影モードとしてストロボの発光を禁止するモードが設定されていた場合には、シャッター速度をストロボ発光シンクロスピードに固定することに伴う明るさの不足分に対応する感度増加量を、前記ＭＲＯＭ１８に記憶されている、図４に示した感度調整用の第２のプログラム線図１０２を使用して特定する（ステップＳ１３）。すなわち同図に破線で示した部分が感度増加量であり、ストロボ発光シンクロスピードとの組み合わせによって、ステップＳ１で取得されたＥＶ値、又はステップＳ３で補正した補正後のＥＶ値を満足する感度増加量、つまり変更すべきＩＳＯ感度を特定する。引き続き、撮影時における感度を上げる設定を行う（ステップＳ１４）。具体的には、撮影時における撮像信号のゲインの増幅率を特定したＩＳＯ感度に対応する増幅率に設定する。
【００４１】
しかる後、シャッターキーが押下されたか否かを判別し、シャッターキーが押下されたら（ステップＳ１５でＹＥＳ）、ストロボを発光させることなく、ステップＳ４で特定した絞り値と、ストロボ発光シンクロスピードであるシャッター速度を用い、かつそれらの組み合わせによる露出不足分を感度増加（ＩＳＯ感度の変更）により補う露出調整を伴う撮影処理を実施する（ステップＳ１６）。なお、この場合においても、前述したステップＳ３でＥＶ値が補正されていないときの絞り値は開放Ｆ値（Ｆ１．４）である。また、シャッターキーが押下されていなければ（ステップＳ１５でＮＯ）、そのままステップＳ１へ戻り再びＥＶ値を取得する。
【００４２】
以上のように、本実施の形態においては、ストロボ撮影を行う場合には、シャッター速度をストロボ発光シンクロスピードに固定することにより、撮影時の手ぶれを防止することができる。一方、その際には、ＥＶ値に対応して取得した絞り値とストロボ発光シンクロスピードとの組み合わせによる露出不足分をストロボの発光量により補う露出調整を行うため、滑らかな露出調整を行うことができる。したがって、撮影時に補助光の発光が不可欠である場合であっても正確な露出調整を行うことが可能となる。
【００４３】
同時に、撮影に先立ちユーザーにより、例えば１／３ＥＶや１／２ＥＶという半端なＥＶ値の補正操作（ＥＶシフト操作）が行われていた場合であっても、その露出補正に正確に対処することができる。係る点について以下に詳述する。
【００４４】
図５は、図３及び図４に示した第１のプログラム線図１０１、第２のプログラム線図１０２に共通する要部拡大図である。例えば適正露出値がＥＶ１０の被写体を撮影しようとした場合、線図における絞り値とシャッター速度との組み合わせを示す指示線Ａをたどると、絞り値はＦ２．８、シャッター速度は１／１２５秒となり、この設定が適正露出設定となり、同時に、その設定が図示したＥＶシフト軸Ｂにおける「±０」に位置する。
【００４５】
ここで、ＥＶシフト操作が行われた場合、それが＋補正（明るくする補正）では図でＥＶ方向に対して左側にシフトするが、絞り値による調整の自由度は狭い（調整ステップが大きい）ことから、補正量が＋１／３ＥＶのときにはシャッター速度は１／１００秒に調整されることになる。同様に＋２／３ＥＶのときにはシャッター速度は１／８０、＋１ＥＶのときにはシャッター速度は１／６０秒となり、ここまではユーザーに指定された補正量を確保することができる。ところが補正量が＋４／３ＥＶの場合には、本来はシャッター速度を１／５０にする必要があるが、手ぶれ防止のためシャッター速度を１／６０秒に固定するため、補正量が＋１ＥＶのときと同じ明るさとなってしまい、そのままでは要求された露出補正に対処することができない。
【００４６】
しかし、本実施の形態においては、シャッター速度が調整限界（１／６０秒）に達した後には、指示線Ａの破線部分に示したように、ストロボの発光量により露出補正を行う。すなわち補正量が＋４／３ＥＶの場合においては＋１ＥＶまでの分をシャッター速度により補正し、残りの＋１／３ＥＶ（補正不足分）をストロボの発光量により補正することによって、ＥＶシフト操作範囲−２ＥＶ〜＋２ＥＶ内の半端な補正に対しても、それに制約されることなく対処することができる。つまりユーザーが望む露出補正を、実際の露出制御に反映させることができる。よって、本実施の形態によれば、撮影時の露出制御条件に関わりなく、正確な露出調整を行うことができる。
【００４７】
ここで本実施の形態においては、撮影時におけるストロボの発光量を第１のプログラム線図１０１により特定した発光量としたが、例えば特定した発光量を被写体距離に応じて補正した後、補正後の発光量を撮影時における実際の発光量して設定することが好ましい。その場合には、前記補正不足分をより正確に補正することができ、ストロボ光を使用する場合であっても高い露出制御性を確保することができる。なお、その場合、例えば本実施の形態のようにコントラスト検出ＡＦ方式によるオートフォーカス機能を備えたものでは、例えばシャッターが押下された時点や、所謂ハーフシャッター機能を備えておりシャッターキーの半押しに伴いＡＥロックやＡＦロックを行うものではその半押し時点で、フォーカスサーチを行ったときのフォーカスレンズ３の位置に基づいて被写体距離を割り出し、その被写体距離に応じて、第１のプログラム線図１０１により特定した発光量を補正すればよい。
【００４８】
さらに、本実施の形態においては、前述したようにストロボ光が必要な状況下において、ストロボの発光が禁止されている撮影時には、ＥＶ値に対応して取得した絞り値とストロボ発光シンクロスピードとの組み合わせによる露出不足分を感度増加（ＩＳＯ感度の変更）により補う露出調整を行うため、その場合であっても、滑らかな露出調整を行うことができる。また、ＥＶシフト操作範囲−２ＥＶ〜＋２ＥＶ内の半端な補正に対しても、それに制約されることなく対処することができ、ユーザーが望む露出補正を、実際の露出制御に反映させることができる。よって、ストロボの使用が禁止されている撮影時には、その設定を有効としたままで、撮影時の露出制御条件に関わりなく正確な露出調整を行うことができる。
【００４９】
なお、本実施の形態においては、露出制御に際してシャッター速度を手ぶれ防止用の速度（１／６０秒）に規制するようにしたが、規制速度はそれ以外の速度（例えば１／８秒）に設定されていてもよい。また、主として被写体が、撮影時に補助光の発光が不可欠となる程に暗い場合の動作について述べたが、被写体が明るく撮影時に補助光の発光を必要としない場合の動作においても、シャッター速度による調整が規制される露出制御時には、前述した動作を行わせることにより滑らかな露出調整を行うことができる。また、その場合において、規制（固定）されるシャッター速度は目的に応じて適宜設定される速度となる。
【００５０】
また、主として通常の静止画撮影が行われる場合について説明したが、本発明は、例えばＥＶ値を自動的にシフトさせながら連続撮影を行う露出ブラケットを実施する際においても有効である。その場合、ストロボの発光量の調整は、ストロボ発光用コンデンサの充電量でなく、発光時におけるストロボ発光用コンデンサの放電量の調整により行う必要がある。なお、本実施の形態においても、ストロボの発光量の調整をストロボ発光用コンデンサの放電量の調整により行うようにしても構わない。
【００５１】
また、本実施の形態においては、絞りを備えた構成のデジタルカメラ１について説明したが、絞りを備えていないものにも本発明は適用することができる。また、本発明を専用機としてのデジタルカメラに採用した場合について説明したが、これに限らず本発明は、カメラ付き携帯電話、カメラ付きＰＤＡ、さらにはストロボ付きの銀塩カメラ等にも採用することができる。その場合においても前述したものと同一の効果を得ることができる。
【図面の簡単な説明】
【００５２】
【図１】本発明に係るデジタルカメラを示すブロック図である。
【図２】静止画像の撮影時にＣＰＵが実行する撮影処理の手順を示すフローチャートである。
【図３】ストロボを発光させる場合の露出制御に使用される第１のプログラム線図である。
【図４】ストロボを発光させない場合の露出制御に使用される第２のプログラム線図である。
【図５】第１のプログラム線図及び第２のプログラム線図の共通した要部拡大図である。
【符号の説明】
【００５３】
１    デジタルカメラ
４    絞り
５    ＣＣＤ
９    ＣＰＵ
１３    ＴＦＴ液晶モニター
１５    電源回路
１６    操作キー部
１８    ＭＲＯＭ
１９    ストロボ回路
【図１】
2006072047.tif 000003
【図２】
2006072047.tif 000004
【図３】
2006072047.tif 000005
【図４】
2006072047.tif 000006
【図５】
2006072047.tif 000007